(57)【要約】【課題】オートフォーカスモードとマニュアルフォーカスモードの切り替えには、複雑なラッチ、クラッチ機構を必要とし、レンズユニットの大型化を招いていた。特に、フォーカスレンズの駆動源としてリニアモータを利用した場合、従来のラッチ、クラッチ機構がそのまま適用できないといった問題がある。【解決手段】撮像装置と共に用いられるレンズユニットは、レンズ部と、レンズ部をレンズ部の光軸方向に移動させるモータと、レンズ部およびモータを支持する枠体と、ユーザの操作に基づいて枠体を光軸方向に移動させる移動部とを備える。【選択図】図２
2011100076.tif 000002
【特許請求の範囲】
【請求項１】
レンズ部と、
前記レンズ部を前記レンズ部の光軸方向に移動させるモータと、
前記レンズ部および前記モータを支持する枠体と、
ユーザの操作に基づいて前記枠体を前記光軸方向に移動させる移動部と
を備えるレンズユニット。
【請求項２】
前記モータは、前記レンズ部を固定して前記光軸方向に移動させる可動子を有するリニアモータである請求項１に記載のレンズユニット。
【請求項３】
前記移動部は、
前記ユーザの操作を受けて前記光軸方向周りに回転する回転操作部材と、
前記回転操作部材が操作されたときの回転力を前記光軸方向の推進力に変換する変換部とを有する請求項１または２に記載のレンズユニット。
【請求項４】
前記レンズ部はフォーカスレンズを含み、
前記フォーカスレンズは、マニュアルフォーカスモード時には前記移動部による前記枠体の移動に伴って前記光軸方向に移動され、オートフォーカスモード時にはオートフォーカス信号に基づいて駆動される前記モータにより前記光軸方向に移動される請求項１から３のいずれか１項に記載のレンズユニット。
【請求項５】
前記枠体の外部から前記レンズ部の前記光軸方向の位置を検出する検出部を有する請求項１から４のいずれか１項に記載のレンズユニット。
【請求項６】
前記枠体における前記レンズ部の移動端に前記レンズ部を固定する固定機構を備え、
前記モータは、前記レンズユニットの電源オフ時に、前記レンズ部を前記移動端に移動させて前記固定機構に固定させる請求項１から５のいずれか１項に記載のレンズユニット。
【請求項７】
請求項１から６のいずれか１項に記載のレンズユニットと、
前記モータを駆動する制御信号を前記レンズユニットに送信する送信部と
を備える撮像装置。
【発明の詳細な説明】
【技術分野】
【０００１】
本発明は、レンズユニットおよび撮像装置に関する。
【背景技術】
【０００２】
近時のカメラには、撮像素子に結像する被写体像の焦点を調整するフォーカスモードとして、カメラがＡＦセンサ等を用いて自動的に調整を行うオートフォーカスモードと、ユーザがファインダ等を観察しながら操作部材を操作して調整を行うマニュアルフォーカスモードが用意されている。カメラは、ユーザの選択に応じて、フォーカスレンズをモータで駆動するか、ユーザの操作でフォーカスレンズを移動させるかを切り替える。
【先行技術文献】
【特許文献】
【０００３】
【特許文献１】特開２０００−３２９９８９号公報
【発明の概要】
【発明が解決しようとする課題】
【０００４】
オートフォーカスモード時に、モータの駆動に伴ってマニュアルフォーカスリングが回転することは、動力ロスの観点からも、ユーザ利便性の観点からも好ましくない。マニュアルフォーカスモード時に、マニュアルフォーカスリングの回転力がモータの駆動系に伝達されることは、マニュアルフォーカスリングの操作性の観点からも、モータに加えられる負荷の観点からも好ましくない。そこで、通常は、オートフォーカスモードとマニュアルフォーカスモードの切り替え時に、モータからフォーカスレンズへの駆動伝達系と、ユーザによって操作されるマニュアルフォーカスリングからフォーカスレンズへの駆動伝達系を切り替える。しかし、このような切り替えを行うには、複雑なラッチ、クラッチ機構を必要とし、レンズユニットの大型化を招いていた。特に、フォーカスレンズの駆動源としてリニアモータを利用した場合、従来のラッチ、クラッチ機構がそのまま適用できないといった問題もあった。
【課題を解決するための手段】
【０００５】
上記課題を解決するために、本発明の第１の態様におけるレンズユニットは、レンズ部と、レンズ部をレンズ部の光軸方向に移動させるモータと、レンズ部およびモータを支持する枠体と、ユーザの操作に基づいて枠体を光軸方向に移動させる移動部とを備える。
【０００６】
また、上記課題を解決するために、本発明の第２の態様における撮像装置は、上記のレンズユニットと、モータを駆動する制御信号をレンズユニットに送信する送信部とを備える。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】一眼レフカメラの要部断面図である。
【図２】フォーカスレンズ周りの構造を示すレンズユニットの要部断面図である。
【図３】フォーカスレンズ周りの構造を示すレンズユニットの別の要部断面図である。
【図４】リニアモータの構造を概略的に示す斜視図である。
【図５】リニアモータの構造を概略的に示す断面図である。
【図６】一眼レフカメラのシステム構成を概略的に示すブロック図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、一眼レフカメラ１０の要部断面図である。一眼レフカメラ１０は、レンズユニット２０とカメラユニット３０が組み合わされて撮像装置として機能する。
【００１１】
レンズユニット２０は、光軸１１に沿って配列されたレンズ群２１を備える。レンズ群２１には、フォーカスレンズ２３０、ズームレンズ２４０が含まれる。フォーカスレンズ２３０は、リニアモータ２２の駆動力等を受けて光軸１１方向に移動する。そして、レンズユニット２０は、フォーカスレンズ２３０の駆動などレンズユニット２０の制御および演算を司るレンズシステム制御部２４を備える。
【００１２】
また、レンズユニット２０は、筐体にユーザが操作をおこなう操作部材を備える。例えば、オートフォーカスモードとマニュアルフォーカスモードを切り替えるＡＦ／ＭＦ切替スイッチ２３、マニュアルフォーカスモード時にユーザがピント調整の操作を行うフォーカスリング２５を備える。その他に、ユーザが画角調整の操作を行うズームリング等を備える。なお、以後の説明においては図示するように、光軸１１に沿って被写体像が入射する方向にｚ軸を定める。
【００１３】
レンズユニット２０は、カメラユニット３０との接続部にレンズマウント２６を備え、カメラユニット３０が備えるカメラマウント４８と係合して、カメラユニット３０と一体化する。レンズマウント２６およびカメラマウント４８はそれぞれ、機械的な係合部の他に電気的な接続部も備え、カメラユニット３０からレンズユニット２０への電力の供給および相互の通信を実現している。
【００１４】
カメラユニット３０は、レンズユニット２０から入射される被写体像を反射するメインミラー３１と、メインミラー３１で反射された被写体像が結像するピント板３３を備える。メインミラー３１は、回転軸３２周りに回転して、光軸１１を中心とする被写体光束中に斜設される状態と、被写体光束から退避する状態を取り得る。ピント板３３側へ被写体像を導く場合は、メインミラー３１は被写体光束中に斜設される。また、ピント板３３は、後述する撮像素子４２の受光面と共役の位置に配置されている。
【００１５】
ピント板３３で結像した被写体像は、ペンタプリズム３４で正立像に変換され、接眼光学系３５を介してユーザに観察される。また、ペンタプリズム３４の射出面上方にはＡＥセンサ３６が配置されており、被写体像の照度分布を検出する。
【００１６】
斜設状態におけるメインミラー３１の光軸１１の近傍領域は、ハーフミラーとして形成されており、入射される光束の一部が透過する。透過した光束は、メインミラー３１と連動して動作するサブミラー３７で反射されて、ＡＦ光学系３８へ導かれる。ＡＦ光学系３８を通過した被写体光束は、ＡＦセンサ３９へ入射される。ＡＦセンサ３９は、受光した被写体光束から位相差信号を検出する。なお、サブミラー３７は、メインミラー３１が被写体光束から退避する場合は、メインミラー３１に連動して被写体光束から退避する。
【００１７】
斜設されたメインミラー３１の後方には、光軸１１に沿って、フォーカルプレーンシャッタ４０、光学ローパスフィルタ４１、撮像素子４２が配列されている。フォーカルプレーンシャッタ４０は、撮像素子４２へ被写体光束を導くときに開放状態を取り、その他のときに遮蔽状態を取る。光学ローパスフィルタ４１は、撮像素子４２の画素ピッチに対する被写体像の空間周波数を調整する役割を担う。そして、撮像素子４２は、例えばＣＭＯＳセンサなどの光電変換素子であり、受光面で結像した被写体像を電気信号に変換する。
【００１８】
撮像素子４２で光電変換された電気信号は、メイン基板４３に搭載されたＤＳＰである画像処理部４５で画像データに処理される。メイン基板４３には、画像処理部４５の他に、カメラユニット３０のシステムを統合的に制御するＭＰＵであるカメラシステム制御部４４が搭載されている。カメラシステム制御部４４は、カメラシーケンスを管理すると共に、各構成要素の入出力処理等を行う。例えば、ＡＥセンサ３６から出力される被写体像の照度分布から露出値を演算し、ＡＦセンサ３９から出力される位相差信号から合焦制御を行う。
【００１９】
カメラユニット３０の背面には液晶モニタ等による表示部４６が配設されており、画像処理部４５で処理された被写体画像が表示される。表示部４６は、撮影後の静止画像に限らず、ビューファインダとしてのＥＶＦ画像、各種メニュー情報、撮影情報等を表示する。また、カメラユニット３０には、着脱可能な二次電池４７が収容され、カメラユニット３０に限らず、レンズユニット２０にも電力を供給する。
【００２０】
図２は、フォーカスレンズ２３０周りの構造を示すレンズユニット２０の要部断面図である。特に、光軸１１に沿ったｙｚ平面で切断した断面図を表す。レンズ群２１は、フォーカスレンズ２３０を光軸１１方向に前後させることで、透過する被写体像を撮像素子４２の受光面上に合焦させることができる。
【００２１】
フォーカスレンズ２３０は、保持枠２１０に外周を囲まれて保持されている。フォーカスレンズ２３０と保持枠２１０は、レンズ部２００を構成する。また、保持枠２１０は、リニアモータ２２の可動子１１０に締結されている。保持枠２１０の締結部と締結されているリニアモータ２２の可動子１１０は、光軸１１方向に移動できるように、その端部近傍で２つの支持部１４２により支持されている。そして、可動子１１０は、レンズシステム制御部２４に制御される固定子１２０との作用により、所定の可動範囲内で任意の位置に移動することができる。
【００２２】
ユーザによって操作されるフォーカスリング２５は、光軸１１周りに鏡筒の外周を回転する操作部材である。フォーカスリング２５がユーザによって回転されると、フォーカスリング２５の鏡筒内部側に設けられた内歯２５０も回転し、内歯２５０は、ギア列３３０を回転させて、ボールねじ３２０を光軸１１と平行な軸周りに回転させる。
【００２３】
ボールねじ３２０は、回転運動を光軸１１に沿った直進運動に変換する変換部であり、ボールねじ３２０に噛み合わされたナットとしての推進部３１１を光軸１１方向に移動させることができる。具体的には、ボールねじ３２０を両端近傍で回転可能に支持する２つの支持部３２１に案内軸３４０も固定されており、推進部３１１は、案内軸３４０に遊嵌することで、回転することなく光軸１１方向に移動する。このような機構により、フォーカスリング２５がユーザによって回転操作されると、その回転量および回転方向に応じて、推進部３１１が光軸１１方向に沿って所定距離分移動する。
【００２４】
推進部３１１は、枠体３１０の一部を構成する。枠体３１０は、推進部３１１の他に、推進部３１１と一体的に形成され、光軸１１方向に沿って前後に伸延する梁部３１２と、梁部３１２と一体的に形成され、梁部３１２の前後端からそれぞれ光軸１１周りに伸延する腕部３１３により構成される。そして、リニアモータ２２のベース部材１４０は、腕部３１３に固定されている。つまり、リニアモータ２２およびレンズ部２００は、枠体３１０に支持されている。
【００２５】
このような構成により、フォーカスリング２５が回転されると、枠体３１０が全体的に光軸１１方向に沿って移動する。その結果、枠体３１０に支持されたリニアモータ２２およびレンズ部２００も光軸１１方向に沿って移動する。一方、フォーカスレンズ２３０は、リニアモータ２２の駆動により、枠体３１０の移動とは独立して、枠体３１０の２つの腕部３１３に挟まれた所定の可動範囲内で移動する。
【００２６】
したがって、保持枠２１０に保持されたフォーカスレンズ２３０は、枠体３１０の移動によっても、リニアモータ２２の駆動によっても、光軸１１方向に移動する。フォーカスレンズ２３０の光軸１１方向における位置は、保持枠２１０の外周部に設けられた反射部２１２に対するフォトセンサアレイ３５０の出力を用いて、レンズシステム制御部２４により算出される。フォトセンサアレイ３５０は、複数のフォトセンサが光軸１１方向に沿って配列されており、レンズユニット２０の鏡筒内壁に固定されている。
【００２７】
保持枠２１０は係止部２１４を備えており、また、枠体３１０の梁部３１２のうち保持枠２１０の移動端には、係止部２１４に対向するように係止部３１４が設けられている。これらの構成により、リニアモータ２２はレンズ部２００を移動端まで移動させて、係止部２１４と係止部３１４を接触させることにより、レンズ部２００を枠体３１０に対して固定させることができる。つまり、係止部２１４と係止部３１４は固定機構として作用し、一旦両者が係止すると、レンズユニットが非通電状態であっても、レンズ部２００の移動を規制することができる。なお、係止部２１４および係止部３１４の構成としては、例えば、磁石を用いた吸着機構を採用しても良いし、互いに鉤形状としたフック機構を採用しても良い。
【００２８】
図３は、フォーカスレンズ２３０周りの構造を示すレンズユニット２０の別の要部断面図である。具体的には、光軸１１に直交するｘｙ平面で切断した断面図を表す。図示するように、リニアモータ２２の可動子１１０と締結する締結部２１６と、ガイド軸３７０に対して摺動するように遊嵌する摺動部２１７を備える。締結部２１６と摺動部２１７はそれぞれ、フォーカスレンズ２３０を保持する中心孔に対してｘ軸方向の外側に保持枠２１０の腕部として設けられている。したがって、リニアモータ２２の可動子１１０とガイド軸３７０は、光軸１１と平行に、かつ光軸１１を挟んで対向するように設置されている。なお、ガイド軸３７０の両端は、２つの腕部３１３の先端付近にそれぞれ設けられた支持部３６０に支持されている。したがって、リニアモータ２２が枠体３１０の移動に伴って移動するように、ガイド軸３７０および支持部３６０も枠体３１０の移動に伴って一体的に移動する。
【００２９】
次にマニュアルフォーカスモードにおける動作を説明する。上述のように、ユーザによってフォーカスリング２５が回転操作されると、その回転量および回転方向に応じて、枠体３１０が光軸１１方向に所定距離分移動する。すると、リニアモータ２２によりレンズ部２００は駆動されておらず、レンズ部２００は枠体３１０に対して相対的に静止しているので、フォーカスレンズ２３０は、ユーザの回転操作に応じた分だけ光軸１１方向に所定距離分移動することになる。これによりユーザは、接眼光学系３５を介して被写体像を観察しながらフォーカスリング２５を回転操作して焦点調整を行うことができる。このとき、リニアモータ２２は枠体３１０に支持されて枠体３１０と一体的に移動するので、ユーザによるフォーカスリング２５の回転操作力がリニアモータ２２に対して負荷を与えることがない。
【００３０】
次にオートフォーカスモードにおける動作を説明する。オートフォーカスモードにおいては、レンズシステム制御部２４は、カメラシステム制御部４４から送信されてくる合焦位置情報を受信し、現在のレンズ部２００の位置をフォトセンサアレイ３５０の出力から算出した上で、リニアモータ２２の駆動量を演算する。そして、演算された駆動量に従ってリニアモータ２２を駆動し、レンズ部２００を移動させる。これにより撮像素子４２の受光面に対する被写体像の焦点調整を完了させることができる。このとき、枠体３１０はレンズユニット２０の鏡筒に対して相対的に静止しているので、レンズ部２００の移動は静止する枠体３１０の移動範囲内で行われる。したがって、リニアモータ２２の駆動力がフォーカスリング２５へ伝わることはなく、オートフォーカス時に不意にフォーカスリング２５が回転することがない。
【００３１】
なお、マニュアルフォーカスモードであっても、オートフォーカスモードであっても、一眼レフカメラ１０の電源がＯＦＦにされたときには、レンズシステム制御部２４は、カメラシステム制御部４４から電源ＯＦＦの信号を受けて、電源ＯＦＦに伴う処理を実行する。具体的には、レンズ部２００をリニアモータ２２により移動端まで移動させ、保持枠２１０に固定して設けられた係止部３１４と、保持枠２１０に設けられた係止部２１４を係合させる。これにより、電源ＯＦＦ時においてレンズ部２００の移動を規制する。
【００３２】
次に、本実施形態で用いられるリニアモータの例を説明する。図４は、リニアモータ２２の構造を概略的に示す斜視図である。リニアモータ２２は、可動子１１０、固定子１２０、ベース部材１４０を有する。可動子１１０は円柱形状のマグネットであり、固定子１２０は円筒形状の駆動コイルを備える。
【００３３】
可動子１１０は、ベース部材１４０の支持部１４２に設けられた直動ベアリング１４４を介して支持されている。また固定子１２０もベース部材１４０に支持されており、可動子１１０の外径よりも大きな内径を有している。このような構成により可動子１１０は、固定子１２０に沿ってｚ軸方向に円滑に移動できる。可動子１１０には、保持枠２１０の締結部２１６と締結される固定部１１６が設けられている。固定部１１６には、例えば、締結部２１６に対してビス止めができるようにビス穴が設けられている。
【００３４】
リニアモータ２２は図示するように、ベース部材１４０上にその構成要素がまとめて構成されている。そして、ベース部材１４０には複数のビス穴１４６が設けられており、リニアモータ２２は、このビス穴１４６を用いて枠体３１０の腕部３１３に固定される。
【００３５】
図５は、リニアモータ２２の構造を概略的に示す断面図である。可動子１１０は駆動用の磁気パターンが着磁された駆動用領域１１２、レンズ部２００の直動距離を規定する直動領域１１４、および固定部１１６としての中間領域の３つの領域を有している。可動子１１０の駆動用領域１１２の磁気パターンは、ｚ軸方向に磁極が配列するように着磁されている。
【００３６】
固定子１２０の駆動コイル１２２はＵ相、Ｖ相およびＷ相を構成するコイル列であり、ｚ軸方向に沿って配列されている。各コイルのｚ軸方向の幅は同じであり、ここでは可動子１１０の駆動用領域１１２の１磁極幅の１／３となっている。
【００３７】
駆動コイル１２２には、Ｎ−Ｓ間の磁極ピッチを位相１８０度とした場合に、１２０度の位相差をもつ位置に応じた三相電流を供給することで、駆動用領域１１２の磁気パターンとの関係によりｚ方向に推力が発生する。そして、可動子１１０の位置に応じてコイルに供給する電流を制御することで、可動子１１０のｚ軸方向への移動を制御することができる。なお、可動子１１０の位置は、保持枠２１０を介して、フォトセンサアレイ３５０の出力を用いて算出される。
【００３８】
図６は、一眼レフカメラ１０のシステム構成を概略的に示すブロック図である。一眼レフカメラ１０のシステムは、レンズユニット２０とカメラユニット３０のそれぞれに対応して、レンズシステム制御部２４を中心とするレンズ制御系と、カメラシステム制御部４４を中心とするカメラ制御系により構成される。そして、レンズ制御系とカメラ制御系は、レンズマウント２６とカメラマウント４８によって接続される接続部を介して、相互に各種データ、制御信号の授受を行う。
【００３９】
カメラ制御系に含まれる画像処理部４５は、カメラシステム制御部４４からの指令に従って、撮像素子４２で光電変換された撮像信号を画像データに処理する。処理された画像データは、表示部４６へ送られて、例えば撮影後の一定時間の間表示される。これに並行して、処理された画像データは、所定の画像フォーマットに加工されてメモリ５１に記録される。なお、ＥＶＦ画像として連続的に処理される被写体画像は、メモリ５１に記録されることなく、表示部４６に逐次表示される。これにより、ユーザは、接眼光学系３５を介して光学的に被写体像を観察するだけでなく、表示部４６を介して電気的に被写体像を観察することができる。
【００４０】
カメラシステム制御部４４は、ユーザからの操作をカメラ操作検出部５０で検出して、操作に応じた動作を行う。例えば、押し込み方向に２段階のスイッチ位置を備えるレリーズボタン４９がユーザに操作されて、その第１段階のスイッチがＯＮになったことをカメラ操作検出部５０が検出すると、カメラシステム制御部４４は、ＡＦセンサ３９から位相差情報を取得する。そして、レンズシステム制御部２４へフォーカスレンズ２３０の駆動情報を送信する。また、ＡＥセンサ３６から被写体像の照度分布を取得して露出値を決定する。さらに、第２段階のスイッチがＯＮになったことをカメラ操作検出部５０が検出すると、カメラシステム制御部４４は、一連の撮影シーケンスを実行して被写体画像を生成し、メモリ５１へ記録する。
【００４１】
レンズシステム制御部２４は、カメラシステム制御部４４からの制御信号を受けて各種動作を実行する。また、レンズシステム制御部２４は、ユーザからの操作をレンズ操作検出部２７で検出して、操作に応じた動作を行う。その一つとして、レンズ操作検出部２７がＡＦ／ＭＦ切替スイッチ２３が操作されたことを検出すると、レンズシステム制御部２４は、検出結果に応じて、オートフォーカスモードかマニュアルフォーカスモードのいずれかでフォーカスレンズ２３０の制御を行う。
【００４２】
オートフォーカスモードの場合、レンズシステム制御部２４がカメラシステム制御部４４からフォーカスレンズ２３０の駆動情報を受信すると、フォトセンサアレイ３５０の出力から算出されるレンズ部２００の位置情報を加算して、リニアモータ２２の移動量を算出する。そして、レンズシステム制御部２４は、その移動量分だけレンズ部２００が移動するように、駆動ドライバ１５０を制御する。
【００４３】
マニュアルフォーカスモードの場合、ユーザがフォーカスリング２５を回転操作する駆動力により枠体３１０を移動させるので、フォーカスレンズ２３０の移動にリニアモータ２２を駆動することはない。ただし、ＡＦ／ＭＦ切替スイッチ２３がマニュアルフォーカスモード側に操作されたことをレンズ操作検出部２７が検知した場合、レンズシステム制御部２４は、駆動ドライバ１５０を用いて駆動コイル１２２に所定の電流を流し、可動子１１０を積極的に静止させるように制御しても良い。このように制御することにより、枠体３１０の移動に伴ってレンズ部２００へ慣性力が作用したとしても、レンズ部２００を枠体３１０に対して相対的に静止させておくことができる。
【００４４】
以上説明した実施形態によれば、マニュアルフォーカスモード時に、ユーザの操作力を枠体３１０の移動に用い、間接的にレンズ部２００を移動するので、フォーカスレンズ２３０に直結されているリニアモータ２２に対して過負荷を与えることがない。逆にオートフォーカスモード時には、フォーカスレンズ２３０への駆動力がフォーカスリング２５へ伝達されないので、フォーカスリング２５が回転したりせず、ユーザインタフェースとして好ましい。さらには、マニュアルフォーカスモードとオートフォーカスモードの切り替えに対する機械的な動力切替機構を必要としないので、部品点数の増大、ひいてはカメラ全体の大型化を招くこともない。
【００４５】
上記の実施形態においては、ボールねじ３２０を変換部として用い、フォーカスリング２５が操作されたときの回転力を枠体３１０が直線運動する推進力に変換した。しかし、変換部は、このような機械的な連結に限らず、例えばフォーカスリング２５の回転量をエンコーダで検出し、その出力に基づいてモータにより枠体３１０を移動させる構成であっても良い。
【００４６】
また、上記の実施形態においては、フォーカスレンズ２３０を例にオートフォーカスモードとマニュアルフォーカスモードについて説明した。しかし、ズームレンズ２４０に対して、モータで光軸１１方向に画角を調整するパワーズームモードと、ユーザのズームリングの操作により画角を調整するマニュアルズームモードとを備えるカメラにも、上記のレンズ部２００と枠体３１０の関係を適用することができる。
【００４７】
また、上記の実施形態においては、一眼レフカメラ１０を例に説明したが、これに限らず、上記のレンズユニット２０をコンパクトカメラ、ビデオカメラ、双眼鏡、望遠鏡等に適用することもできることは言うまでもない。
【００４８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００４９】
１０  一眼レフカメラ、１１  光軸、２０  レンズユニット、２１  レンズ群、２２  リニアモータ、２３  ＡＦ／ＭＦ切替スイッチ、２４  レンズシステム制御部、２５  フォーカスリング、２６  レンズマウント、２７  レンズ操作検出部、３０  カメラユニット、３１  メインミラー、３２  回転軸、３３  ピント板、３４  ペンタプリズム、３５  接眼光学系、３６  ＡＥセンサ、３７  サブミラー、３８  ＡＦ光学系、３９  ＡＦセンサ、４１  光学ローパスフィルタ、４２  撮像素子、４３  メイン基板、４４  カメラシステム制御部、４５  画像処理部、４６  表示部、４７  二次電池、４８  カメラマウント、４９  レリーズボタン、５０  カメラ操作検出部、５１  メモリ、１１０  可動子、１１２  駆動用領域、１１４  直動領域、１１６  固定部、１２０  固定子、１２２  駆動コイル、１４０  ベース部材、１４２  支持部、１４４  直動ベアリング、１４６  ビス穴、１５０  駆動ドライバ、２００  レンズ部、２１０  保持枠、２１２  反射部、２１４  係止部、２１６  締結部、２１７  摺動部、２３０  フォーカスレンズ、２５０  内歯、３１０  枠体、３１１  推進部、３１２  梁部、３１３  腕部、３１４  係止部、３２０  ボールねじ、３２１  支持部、３３０  ギア列、３４０  案内軸、３５０  フォトセンサアレイ、３６０  支持部、３７０  ガイド軸
【図１】
2011100076.tif 000003
【図２】
2011100076.tif 000004
【図３】
2011100076.tif 000005
【図４】
2011100076.tif 000006
【図５】
2011100076.tif 000007
【図６】
2011100076.tif 000008